(57)【要約】【課題】田畑の作物を鳥類の被害から守る為に従来からネットや糸で田畑を覆ってきたが、その設置や撤去には多くの時間が必要であり特にネットの設置や撤去には複数の人手が必要であった。より多くの作物の収穫を可能にするために鳥害防止用のネットや糸などで田畑を覆う作業を一人でも簡単に短時間で行える手段を提供する。【解決手段】田畑の作物を鳥類から守る為にネットや糸を短時間で簡単に取り付けることが出来るスライド式の防鳥設備である。このスライド式の防鳥設備はリングの滑らかな移動により設置や撤去が一人でも短時間で簡単に行う事が出来きる。【選択図】図１
2005304505.tif 000002
【特許請求の範囲】
【請求項１】
田畑の四隅に打ち込まれた支柱に複数のリングが通されたメインロープが平行に張られ、そのリングは任意の等間隔で補助ロープに固定されている。更に相対するリングには平行に張られたメインロープ間の距離相応の糸の先端が固定されている。
尚、２本の補助ロープの各々の一方端は支柱に縛り固定されている。この状態で支柱に固定されていない補助ロープの一方端を反対方向の支柱側に引くとメインロープに通され補助ロープに固定されたリングも同方向に移動し、同時にリングに固定された糸も移動する。補助ロープの一方端を反対方向の支柱側まで引っ張り支柱に固定する。もう一方の補助ロープも同様に支柱に固定する。以上の作業を行う事でリングに固定された糸が対象の田畑全面を一人でも容易に短時間で覆う事ができる防鳥装置である。
【請求項２】
請求項１の装置で使用するリングについての説明をする。リングの上部と下部を押さえる事により挿入板が溝に挿入される。挿入板上の突起は挿入板受けに切り込まれた溝の何れかに入り挿入板と挿入板受けの分離を防ぐ。糸と補助ロープは挿入板の先端突起と溝の底に押さえつけられ移動困難となる。更にカバーが挿入板受けを包み込むので緩みが生じる事を防ぐ。一般的な輪の形状であれば補助ロープや糸をリングに固定するためには縛り付けるか接着剤等が必要とされるが当該リングは補助ロープや糸を容易に短時間で固定する事を特徴としたリングである。
【発明の詳細な説明】
【発明の詳細な説明】
【技術分野】
【０００１】本発明は田畑の作物を鳥類の害から守るために、防鳥用のネットや糸を広範囲な田畑であっても設置や撤去が一人でも容易に短時間で出来るようにしたものである。
【背景技術】
【０００２】従来は防鳥用のネットで田畑を覆うには多くの支柱を建てて数人で長時間の作業を要した。又は糸で田畑を覆うには支柱間にロープや針金を張りそこに一本一本の糸を縛り付けるには多大な労力と時間が必要とされた。更に撤去時も設置時と同様の長時間の作業と労力を要した。従来はリングを利用してネットや糸などを支柱間に張られたロープを使いスライドさせて田畑を覆う設備は無かった。
【発明の開示】
【発明が解決しようとする課題】
【０００３】従来の鳥害防止方法ではネットや糸などで田畑を覆たり撤去する作業は簡単に短時間では行えなかった。事前にリングを媒介としてロープ、糸、ネットなどをセットした装置を現場で取り付ける事で一人でも簡単に短時間でネットや糸などで田畑を覆たり撤去する作業を出来るようにした。
【課題を解決するための手段】
【０００４】当該装置を作る事前準備として目的の田畑に合わせた長さの補助ロープＤ，Ｄ１とメインロープＥ、Ｅ１と糸Ｂを用意する。補助ロープＤ，Ｄ１とメインロープＥ、Ｅ１の長さは長方形の田畑で有れば辺の長い方を、糸Ｂは辺の短い方を選択する。補助ロープＤ、Ｄ１と糸ＢをリングＣ、Ｃ１を媒介に等間隔（実験では２０ｃｍ〜５０ｃｍ位）に取り付け固定する。リングＣ全てにメインロープＥを通し、リングＣ１全てにメインロープＥ１を通しセットする。次の作業として田畑の４隅に支柱１，２，３，４を打ち込む。支柱の長さは２メートル前後の鉄パイプ等（実験では直径３０ｍｍ〜４０ｍｍ）を使い、強い牽引に耐えられるように大ハンマー等で地中に０．５メートル位を打ち込む。メインロープＥの始点１０を支柱１に固定し終点１１を強く引き支柱２に固定する。メインロープＥ１の始点１６を支柱３に固定し終点１７を強く引き支柱４に固定する。補助ロープＤの一方端１４とＤ１の一方端１６をそれぞれ支柱１と支柱３に固定し、Ｄの一方端１５を反対側の支柱２方向に引くとリングＣとＣ１がメインロープＥとＥ１を滑り引っ張られた方向（支柱２及び支柱４の方向）に移動する。これはリングＣに固定された糸Ｂが同方向に移動するのでもう一方の先端を固定したリングＣ１も支柱４の方向に移動を始める。その結果、ＤとＤ１に固定された全てのリングＣ、Ｃ１は支柱２と支柱４の方向に移動する。先ずＤの終点１５を支柱２に弛みの出来ないように引き固定し、次にＤ１の終点１７も同様に支柱４に固定する。その結果リングＣは補助ロープＤに固定された間隔で、Ｃ１はＤ１に固定された間隔で停止する事で糸Ｂが目的の田畑を覆う。尚、糸Ｂに替えてネットＡを使用する場合も同様の作業を行う。当該設備の発明により防鳥用の糸を容易に短時間で広範囲の田畑等に覆う事が出来る。支柱１と支柱３及び支柱２と支柱４の距離が１０メートルを超える場合は支柱１と支柱３及び支柱２と支柱４の中間地点に支柱とメインロープを増設し下から弛みを支えるようにするとスライドを円滑にするのが効果的であった。リングＣは一般的な輪の形状であれば補助ロープや糸をリングに縛り付けるか固定するための接着剤等が必要とされる。補助ロープや糸を容易に短時間でリングに固定するためのリングＣについて説明する。
糸の端を溝３４に入れ補助ロープＤを溝３０に入れリングＣの上部２５と下部２６を押さえて挿入板３８を挿入板受けの溝３０に差し込む。挿入板３８の突起３５が挿入板受け３１に切り込まれた溝３６の何れかに入る事により挿入板受け３１と挿入板３８が一体化し同時にカバー３７が挿入板受け３１と３２を包み込む事でリング状の形態となる。糸Ｂと補助ロープＤは挿入板３８の先端突起３９と溝３０の底に押さえつけられ移動困難となり固定される。
【発明の効果】
【０００５】補助ロープＤ，Ｄ１にリングＣ，Ｃ１を固定する時に糸Ｂも同時に固定する。リングの間隔は任意の等間隔に固定し、ロープＥ，Ｅ１を全てのリングＣ，Ｃ１に通す事により、ロープＤ，Ｄ１の先端を引けばリングに固定された糸Ｂがスライドして田畑の全面を覆う事が出来る。作物を鳥類から守る為に容易に短時間で田畑全面に糸を張ることができる。更に設備の撤去時間も従来の作業に比べ大幅に短縮された。
【発明を実施するための最良の形態】
【０００６】以下、本発明の実施の形態について図面を参照して説明する。
図１はこの発明の実施形態に係わる防鳥ネットの平面図であり図２はその斜視図である。図１に示すようにこの実施形態に係わる防鳥ネットは支柱１，２，３，４とメインロープＥ，Ｅ１と補助ロープＤ，Ｄ１とリングＣ，Ｃ１と糸Ｂにより構成されている。図１はメインロープＥ，Ｅ１を支柱に固定し糸Ｂを田畑に張る前の形態である。図２は糸Ｂで田畑全面を覆った時の形態である。【０００７】図３、図４は糸Ｂに替えてネットＡを使用した時の平面図と斜視図である。リングＣ，Ｃ１に替えてネットの両端を輪の形状にしたＣ３を使用したものである。図３に示すようにこの実施形態に係わる防鳥ネットは支柱１，２，３，４とメインロープＥ，Ｅ１とネットＡにより構成されている。図４はこの装置を利用して田畑全面を覆った時の形態である【０００８】図５は図１におけるＧ部分の拡大平面図である。
図５はリングＣ１に一定間隔で固定された補助ロープＤ１を支柱４方向に引いて固定する前の弛みが生じている状態を示す。【０００９】図６は請求項２のリングＣを使わずに一般的なリングＣ２を使用した図である。
Ｃ２に糸Ｂと補助ロープＤ１を接着剤などを用いて固定した形態を示す。【００１０】図７は図４におけるＧ１部分の拡大平面図である。
Ｃ３はリングの機能を果たしネットの端が補助ロープの役割を果たす。【００１１】図８はリングＣの正面図であり図１０はリングＣを閉じた時の正面図である。図１６は開いているリングＣの上部２５と下部２６を押さえて図１０の閉じた状態になる前の拡大詳細図である。
図１６について説明する。挿入板３８の先端が溝３０に円滑に入るために３８の先端方向（先端突起３９方向）ほど細くしてある。挿入板３８の厚みより補助ロープを入れる溝３０の幅は若干大きく設定されておりリングＣの材質は合成樹脂（ポリエチレン）で柔軟性があるので挿入板上の突起３５は挿入板上の突起３５が入る溝３６に収まる事が可能となる。挿入板上の突起３５の形状は図１７のようなクサビ状である。【００１２】図１及び図２に示す複数の糸Ｂは同一長さの釣り糸やナイロン糸でありリングＣ、Ｃ１に固定されている。メインロープＥ、Ｅ１と補助ロープＤ，Ｄ１の素材はポリエチレン等でリングＣが円滑にスライド出来る物を使用する。
【図面の簡単な説明】
【００１３】
【図１】本発明の平面図１
【図２】本発明の斜視図１
【図３】本発明の平面図２
【図４】本発明の斜視図２
【図５】図１の記号Ｇの拡大平面図
【図６】従来のリング状の物を使用した場合の図
【図７】図４の記号Ｇ１の拡大図（ネットの端を輪の形状にしたもの）
【図８】本発明のリングＣの正面図
【図９】本発明のリングＣの部分断面図
【図１０】本発明のリングＣを閉じた時の正面図
【図１１】本発明のリングＣの左側面図
【図１２】リングＣの矢視Ｙ−Ｙの断面図
【図１３】リングＣの矢視Ｗ−Ｗの断面図
【図１４】リングＣを矢視Ｚ方向から見た平面図
【図１５】リングＣの３１を右側から見た図
【図１６】リングＣの挿入板が挿入板受けに入る時の拡大図
【図１７】リングＣの挿入板の拡大斜視図
【符号の説明】
【００１４】Ａ・・・ネット、Ｂ・・・糸、Ｃ・・・リング、Ｃ１・・・リング、Ｃ２・・・一般的なリング、Ｃ３・・・ネットに織り込まれた輪、Ｄ・・・補助ローブ、Ｄ１・・・補助ローブ、Ｅ・・・メインロープ、Ｅ１・・・メインロープ、１・・・支柱１、２・・・支柱２、３・・・支柱３、４・・・支柱４、１０・・・メインロープＥの始点、１１・・・メインロープＥの終点、１２・・・メインロープＥ１の始点、１３・・・メインロープＥ１の終点、１４・・・補助ロープＤの始点、１５・・・補助ロープＤの終点、１６・・・補助ロープＤ１の始点、１７・・・補助ロープＤ１の終点  １８・・・ネットに織り込まれたロープの始点、１９・・・ネットに織り込まれたロープの終点、２０・・・ネットに織り込まれたロープの始点、２１・・・ネットに織り込まれたロープの終点、２５・・・リングＣの上部、２６・・・リングＣの下部  ３０・・・補助ロープを入れる溝、３１・・・挿入板受け（溝付き）、３２・・・挿入板受け（溝無し）、３４・・・糸Ｂの挿入溝、３５・・・挿入板上の突起、３６・・・挿入板上の突起３５が入り込む溝、３７・・・挿入板受け３１及び３２を包み込む部分、３８・・・挿入板、３９・・・挿入板の先端突起、
【図１】
2005304505.tif 000003
【図２】
2005304505.tif 000004
【図３】
2005304505.tif 000005
【図４】
2005304505.tif 000006
【図５】
2005304505.tif 000007
【図６】
2005304505.tif 000008
【図７】
2005304505.tif 000009
【図８】
2005304505.tif 000010
【図９】
2005304505.tif 000011
【図１０】
2005304505.tif 000012
【図１１】
2005304505.tif 000013
【図１２】
2005304505.tif 000014
【図１３】
2005304505.tif 000015
【図１４】
2005304505.tif 000016
【図１５】
2005304505.tif 000017
【図１６】
2005304505.tif 000018
【図１７】
2005304505.tif 000019